【事件の表示】
　特願２０１４−　９４１５７「ユーザ装置、及び信号送信方法」拒絶査定不服審判事件〔平成２７年　９月１７日出願公開、特開２０１５−１６５６４０〕について、次のとおり審決する。
【結　論】
　本件審判の請求は、成り立たない。
【理　由】
第１　手続の経緯
　本願は，平成２６年４月３０日（優先権主張　平成２６年２月7日）の出願であって，その手続の経緯の概略は以下のとおりである。
　平成３０年　６月２１日付け：拒絶理由通知書
　平成３０年１０月２５日　　：意見書，手続補正書の提出
　平成３１年　３月２８日付け：拒絶理由通知書（最後の拒絶理由通知）
　令和　元年　６月　７日　　：意見書の提出
　令和　元年１１月２７日付け：拒絶査定
　令和　２年　３月　２日　　：拒絶査定不服審判の請求
　令和　２年　８月１２日付け：拒絶理由通知書（当審）
　令和　２年１０月１９日　　：意見書，手続補正書の提出
第２　本願発明
　本願の請求項１ないし４に係る発明は，令和２年１０月１９日に手続補正された特許請求の範囲の請求項１ないし４に記載された事項により特定されるものである。そして,その請求項１に係る発明（以下「本願発明」という。）は，以下のとおりのものである。
「　複数の同期信号を受信する受信部と，
　　複数の同期信号のうちの特定の同期信号に対応付けられたサウンディング参照信号を送信する送信部と，を備え，
　　前記送信部は，１つのスロットにおける連続するＯＦＤＭシンボルに前記特定の同期信号に対応付けられたサウンディング参照信号をマッピングする
　　ユーザ装置。」　
第３　当審拒絶理由の概要
　令和２年８月１２日付けで当審が通知した拒絶理由の概要は，次のとおりのものである。
　本願の請求項１ないし４に係る発明は，その出願前に日本国内又は外国において，頒布された又は電気通信回線を通じて公衆に利用可能となった以下の引用例３及び４に記載された発明に基いて，その出願前にその発明の属する技術の分野における通常の知識を有する者が容易に発明をすることができたものであるから，特許法第２９条第２項の規定により特許を受けることができない。
引用例３：米国特許出願公開第２０１３／００４０６８４号明細書
引用例４：特表２０１２−５２６４９１号公報
第４　引用例の記載及び引用発明
１　引用例３
　当審が通知した拒絶の理由に引用された引用例３（米国特許出願公開第２０１３／００４０６８４号明細書）には，以下の事項が記載されている。（下線は当審が付与した。）
（１）「[0060] Referring to FIG. 1, 
a base station repeatedly transmits a downlink reference signal, DL reference, N times so that a terminal, which may also be referred to as a Mobile Station (MS) may select one or more optimized downlink transmission and/or reception beams in step 100.
The downlink reference signal may be a signal that may measure quality of a signal, such as a synchronization signal, a preamble signal, a pilot signal, or any other similar signal.
[0061] Meanwhile, 
the terminal that has repeatedly received the downlink reference signal N times measures and selects P optimized downlink transmission/reception beam pairs via the downlink reference signal. For example, in FIG. 6A, the terminal may select one or more downlink transmission/reception beam pairs from among a total of N*N transmission/reception beam pairs. In FIG. 6A, a transmission beam #3 of the base station and a reception beam #3 of the terminal may become an optimized downlink transmission/reception beam pair.
[0062] 
After that, the terminal repeatedly transmits an uplink reference signal, UL Reference, including P optimized downlink transmission beam index information to the base station a total of M times in step 102. 
[0063] Here, M=(MtxXMrx), wherein Mtx denotes a number of transmission beams whose direction is changed and transmitted by the terminal, and Mrx denotes a number of times which the terminal repeatedly transmits a specific transmission beam for selecting a reception beam of the base station. Mtx and Mrx are changeable system information values of which the base station may inform terminals via a broadcast channel, or any other suitable means of informing the terminal. In addition, assuming downlink/uplink channel reciprocity, Mtx may be set to 1. T
he uplink reference signal denotes a signal that may measure quality of a signal, such as an access signal, a sounding signal, a pilot signal, or any other similar signal.
（当審仮訳：
　「［0060］図１によれば,
ステップ１００で,基地局は,移動局（ＭＳ）と呼ばれる端末が１つまたはそれ以上に最適化されたダウンリンク送／受信ビームを選択できるように,ダウンリンク参照信号（ＤＬ参照）をＮ回繰り返し送信する。
前記ダウンリンク参照信号は同期信号，プリアンブル信号，パイロット信号など信号の品質を測定できる信号であることもある。
　例えば，図６Ａのように，基地局でＫ個の送信ビームパターンを?成することができ，端末からＬ個の受信ビームパターンを生成できれば，前記基地局は，特定の時間区間に計Ｋ*Ｌ個のダウンリンク参照信号を前記端末に伝送しなければならない。
[0061]　一方，
前記ダウンリンク参照信号をＮ回繰り返して受信した端末は，前記ダウンリンク参照信号を通じてＰ個の最適化されたダウンリンク送/受信ビームペアを測定して選択する。例えば，図６Ａにおいて，前記端末は計Ｎ*Ｎ個の送受信ビームペアの少なくとも１つ以上のダウンリンク送受信ビームペアを選択することができる。前記図６Ａで基地局の送信ビーム#３と端末の受信ビーム#３ペアが最適化されたダウンリンク送/受信ビームペアとなりうる。
[0062]　以後，
ステップ１０２において前記端末はＰ個の最適化されたダウンリンク送信ビームインデックス情報を含むアップリンク参照信号をＭ回繰り返して基地局に伝送する。
[0063]　ここで，Ｍ＝Ｍｔｘ × Ｍｒｘであり，Ｍｔｘは端末がビームの?向を変化させて伝送する送信ビームの個数を意味し，Ｍｒｘは基地局の受信ビーム選択のために端末が特定の送信ビームを繰り返して伝送する回数を?す。Ｍｔｘ，Ｍｒｘは変更可能なシステム情報であって基地局が放送チャンネルなどを通じて端末に知らせることができる。また，ダウンリンク/アップリンクチャンネル相互関係(ｃｈａｎｎｅｌ ｒｅｃｉｐｒｏｃｉｔｙ)を仮定する場合，Ｍｔｘは１と設定することができる。
前記アップリンク参照信号はアクセス信号，サウンディング信号，パイロット信号など信号の品質を測定できる信号を示す。
（２）「
」
（３）「
」
　上記記載から,引用例３には,次の技術的事項が記載されている。
ア　上記（１）の段落［００６０］の「ステップ１００で,基地局は,移動局（ＭＳ）と呼ばれる端末が１つまたはそれ以上に最適化されたダウンリンク送／受信ビームを選択できるように,ダウンリンク参照信号（ＤＬ参照）をＮ回繰り返し送信する。」という記載によれば,端末は移動局（ＭＳ）と呼ばれるものである。また,上記記載によれば,ダウンリンク参照信号の送信は,Ｎ回繰り返されていることから，複数のダウンリンク参照信号が伝送されているといえる。さらに，上記（１）の段落［００６１］に，「前記ダウンリンク参照信号をＮ回繰り返して受信した端末は，前記ダウンリンク参照信号を通じてＰ個の最適化されたダウンリンク送/受信ビームペアを測定して選択する。」とあるように，ダウンリンク参照信号を端末が受信しており,端末で受信するには受信部があることが技術常識である。そして，上記（１）の段落［００６０］の「前記ダウンリンク参照信号は同期信号，プリアンブル信号，パイロット信号など信号の品質を測定できる信号であることもある。」との記載からダウンリンク参照信号が同期信号であることがいえ，上述したように,ダウンリンク参照信号が複数あることから，同期信号も複数あるといえる。以上のことから，引用例３の端末は，「複数の同期信号を受信する受信部」を備えているものといえる。
イ　上記（１）の段落［００６１］の「前記ダウンリンク参照信号をＮ回繰り返して受信した端末は，前記ダウンリンク参照信号を通じてＰ個の最適化されたダウンリンク送/受信ビームペアを測定して選択する。」という記載によれば,端末は,複数（Ｎ個）のダウンリンク参照信号からＰ個の最適化されたダウンリンク送／受信ビームペアを選択することがいえ,また,上記（１）の段落［００６２］の「ステップ１０２において前記端末はＰ個の最適化されたダウンリンク送信ビームインデックス情報を含むアップリンク参照信号をＭ回繰り返して基地局に伝送する。」という記載によれば,端末は,Ｐ個の最適化されたダウンリンク送信ビームインデックス情報を含むアップリンク参照信号をＭ回繰り返して基地局に伝送することがいえることから,端末は,複数のダウンリンク参照信号からＰ個の最適化されたダウンリンク送／受信ペアを選択し,Ｐ個の最適化されたダウンリンク送信ビームインデックス情報を含むアップリンク参照信号をＭ回繰り返して基地局に伝送することがいえる。ここで,ダウンリンク送信ビームインデックス情報は,複数のダウンリンク参照信号から選択された,すなわち,特定のダウンリンク参照信号に対応付けられたものであり,アップリンク参照信号がダウンリンク送信ビームインデックス情報を含んでいるから,アップリンク参照信号がダウンリンク参照信号に対応づけられた信号を含んでいるといえる。さらに,上記（１）の段落［００６０］の「前記ダウンリンク参照信号は同期信号，プリアンブル信号，パイロット信号など信号の品質を測定できる信号であることもある。」という記載によれば,ダウンリンク参照信号が同期信号であること,及び,上記（１）の段落［００６３］の「前記アップリンク参照信号はアクセス信号，サウンディング信号，パイロット信号など信号の品質を測定できる信号を?す。」という記載によれば,アップリンク参照信号は,サウンディング信号であることが示されていることから,端末は,複数の同期信号のうちの特定の同期信号に対応付けられたサウンディング信号を伝送することがいえる。また,上記（１）の段落［００６２］には,端末はＰ個の最適化されたダウンリンク送信ビームインデックス情報を含むアップリンク参照信号をＭ回繰り返して基地局に伝送する。」との記載があり,端末が基地局に伝送するとは,端末が基地局に送信することを意味し,送信するためには,送信部を有することが技術常識である。
　してみれば,引用例３の端末は,「複数の同期信号のうちの特定の同期信号に対応付けられたサウンディング信号を送信する送信部」を備えることが記載されている。
ウ　上記イの検討から，複数の同期信号のうちの特定の同期信号に対応付けられたサウンディング信号を送信することがいえ,アップリンク参照信号を基地局に送信するためには，リソースにマッピングすることは,技術常識であるから,引用例３には，「送信部は，リソースに特定の同期信号に対応付けられたサウンディング信号をマッピングする」ことが記載されている。
　以上を総合すると，引用例３には，
「　移動局（ＭＳ）と呼ばれる端末であって,
　複数の同期信号を受信する受信部と，
　複数の同期信号のうちの特定の同期信号に対応付けられたサウンディング信号を送信する送信部とを備え，
　前記送信部は，リソースに前記特定の同期信号に対応付けられたサウンディング信号をマッピングする
　端末」の発明（以下「引用発明」という。）が記載されている。
２　引用例４
　当審が通知した拒絶の理由に引用された引用例４（特表２０１２−５２６４９１号公報）には，以下の事項が記載されている。（下線は当審が付与した。）
（１）「【００１４】
　図２は，
ＬＴＥ におけるアップリンク用のフレーム構造２００を示す。この送信タイムラインは，ラジオ・フレームの単位に分割されうる。おのおののラジオ・フレームは，例えば１０ミリ秒（ｍｓ）のような予め定めた持続時間を有し，０乃至９のインデクスを持つ１０個のサブフレームへ分割されうる。おのおののサブフレームは，２つのスロットを含んでおり
【００１５】
　
ＬＴＥは，ダウンリンクで周波数分割多重化（ＯＦＤＭ）を，アップリンクでシングル・キャリア周波数分割多重化（ＳＣ−ＦＤＭ）を利用する
【００１６】
　ダウンリンクおよびアップリンクのおのおのために利用可能な時間−周波数リソースは，リソース・ブロックに分割されうる。おのおののリソース・ブロックは，１つのスロット内に１２のサブキャリアをカバーし，多くのリソース要素を含みうる。おのおののリソース要素は，１つのシンボル期間において１つのサブキャリアをカバーし，実数値または複素数値である１つの変調シンボルを送信するために使用されうる。
アップリンクでは，２Ｌ個のＳＣ−ＦＤＭＡシンボルが，図２に示すように，おのおののサブフレームのシンボル期間０乃至２Ｌ−１で送信されうる
（２）「【００２６】
　図５は，Ｕ−ＴＤＯＡのために良好なパフォーマンスを提供するサウンディング基準信号５００の設計を示す。この設計では，さらに，
サウンディング基準信号は，サブフレームのおのおののシンボル期間において送信されうる
（３）「【図５】
」
ア　上記（２）の段落【００２６】の「サウンディング基準信号は，サブフレームのおのおののシンボル期間において送信されうる。」という記載によれば,サウンディング基準信号は，サブフレームのおのおののシンボル期間において送信されることといえ,さらに，上記（３）の図５からサブフレームの連続するシンボルにおいて送信されることが読み取れる。
イ　上記（１）の段落【００１４】の「ＬＴＥにおけるアップリンク用のフレーム構造２００を示す。この送信タイムラインは，ラジオ・フレームの単位に分割されうる。おのおののラジオ・フレームは，例えば１０ミリ秒（ｍｓ）のような予め定めた持続時間を有し，０乃至９のインデクスを持つ１０個のサブフレームへ分割されうる。おのおののサブフレームは，２つのスロットを含んでおり，」という記載によれば,ＬＴＥにおいてサブフレームは２つのスロットを含むものである。
ウ　上記（１）の段落【００１５】の「ＬＴＥは，ダウンリンクで周波数分割多重化（ＯＦＤＭ）を，アップリンクでシングル・キャリア周波数分割多重化（ＳＣ−ＦＤＭ）を利用する。」との記載によれば,ＬＴＥは,アップリンクシングル周波数分割多重化（ＳＣ−ＦＤＭ）を使用することが記載されている。また,上記（１）の段落【００１６】の「アップリンクでは，２Ｌ個のＳＣ−ＦＤＭＡシンボルが，図２に示すように，おのおののサブフレームのシンボル期間０乃至２Ｌ−１で送信されうる」との記載によれば,アップリンクでは,２Ｌ個のＳＣ−ＦＤＭＡシンボルが用いられることが記載されている。ここで,技術常識によれば,ＳＣ−ＦＤＭＡシンボルは,ＯＦＤＭシンボルの一種といえる。
エ　上記アで説示したとおり,サウンディング基準信号は,サブフレームの連続するシンボルにおいて送信されるが,上記イで説示したとおり,ＬＴＥにおいてサブフレームは２つのスロットを含むことも勘案すると,サウンディング基準信号は,サブフレームの１つのスロットにおいても,連続することがいえる。
　以上を総合すると,引用例４には，「サウンディング基準信号を，１つのスロットの連続するＯＦＤＭシンボルにおいて送信する」という発明が記載されている。
第５　対比及び判断
１　対比
　本願発明と引用発明を対比すると，以下のとおりとなる。
（１）引用発明の「複数の同期信号を受信する受信部」は，本願発明の「複数の同期信号を受信する受信部」に相当する。
（２）引用発明のサウンディング信号は,アップリンク参照信号の一つであり,サウンディング参照信号といえるから,引用発明の「複数の同期信号のうちの特定の同期信号に対応付けられたサウンディング信号を送信する送信部」は，本願発明の「複数の同期信号のうちの特定の同期信号に対応付けられたサウンディング参照信号を送信する送信部」に相当する。
（３）上記（２）で説示したように，サウンディング信号は，サウンディング参照信号であり，ＯＦＤＭシンボルも信号を送信するためのリソースのひとつであることは技術常識であるから，引用発明の「送信部は，リソースに特定の同期信号に対応付けられたサウンディング信号をマッピングする」ことと，本願発明の「送信部は，１つのスロットに連続するＯＦＤＭシンボルに前記特定の同期信号に対応付けられたサウンディング参照信号をマッピングする」ことは，「送信部は，リソースに特定の同期信号に対応付けられたサウンディング参照信号をマッピングする」ことで一致する。
（４）無線通信システムにおいて,移動局（ＭＳ）と呼ばれる端末がユーザ装置を表していることは,技術常識であるから,引用発明の「移動局（ＭＳ）と呼ばれる端末」は,本願発明の「ユーザ装置」に相当する。
　以上を総合すると，本願発明と引用発明１とは，以下の点で一致し，相違する。
（一致点）
「　複数の同期信号を受信する受信部と，
　　複数の同期信号のうちの特定の同期信号に対応付けられたサウンディング参照信号を送信する送信部と，を備え，
　　前記送信部は，リソースに前記特定の同期信号に対応付けられたサウンディング参照信号をマッピングする
　　ユーザ装置。」
（相違点）
　サウンディング参照信号をマッピングするリソースについて,本願発明においては「１つのスロットに連続するＯＦＤＭシンボル」であるのに対して,引用発明においてはその旨の特定がない点。
　上記相違点について，検討する。
　上記「第４」の「２」で説示したとおり,引用例４には，「サウンディング基準信号を，１つのスロットの連続するＯＦＤＭシンボルにおいて送信する」という発明が記載されており,引用発明及び引用例４に記載された発明は，いずれも,サウンディング参照信号を送信することに関するものであるから，引用発明において，特定の同期信号に対応付けられたサウンディング参照信号を,引用例４に記載された発明のように,１つのスロットに連続するＯＦＤＭシンボルにマッピングすることは，当業者が容易になし得ることである。
　
　したがって，本願発明は，引用発明及び引用例４に記載された発明に基いて，当業者が容易に発明をすることができたものであるから，特許法第２９条第２項の規定により，特許を受けることができない。
［請求人の主張について］
　請求人は令和２年１０月１９日に提出された意見書の「（４）（ｂ）」において，請求項１における「前記送信部は，１つのスロットにおける連続するＯＦＤＭシンボルに前記特定の同期信号に対応付けられたサウンディング参照信号をマッピングする」ということが，引用例３及び４には記載も示唆もされていないから,本願発明は進歩性を有する旨を主張している。
　しかしながら，上述したように，引用発明において，特定の同期信号に対応付けられたサウンディング参照信号を,引用例４に記載された発明のように,１つのスロットに連続するＯＦＤＭシンボルにマッピングすることは，当業者が容易になし得ることである。
　したがって,審判請求人の上記主張を採用できない。
第６　むすび
　以上のとおり，本願発明は，当業者が，引用例３及び引用例４に記載された発明に基いて，容易に発明をすることができたものであるから,特許法第２９条第２項の規定により，特許を受けることができない。
　したがって,他の請求項に係る発明について検討するまでもなく，本願は拒絶されるべきものである。
　よって，結論のとおり審決する。